(57)【要約】【課題】迅速、簡単且つ確実に設置作業を行い、設置後の高い水密性を確保し、メンテナンスを不要とし、収納時の省スペース化を達成する。【解決手段】出入り口１４を閉塞する扉本体１６、扉本体１６の両側部に沿って垂直方向に配置される側部弾性体３２ａ、３２ｂ、扉本体１６の下端部に沿って水平方向に配置される下部弾性体３２ｃ、扉本体１６の両側部に配置される締付レバー２６ａ〜２６ｈ、出入り口１４の両側部に沿って垂直方向に配置され、締付レバー２６ａ〜２６ｈにより側部弾性体３２ａ、３２ｂが水平方向から押圧される側部突起４８ａ、４８ｂ、出入り口１４の床面に形成される戸溝５２に沿って水平方向に配置され、締付レバー２６ａ〜２６ｈにより下部弾性体３２ｃが水平方向から押圧される下部突起４８ｃを備える。【選択図】図１
2015101885.tif 000002
【特許請求の範囲】
【請求項１】
建造物の出入り口を閉塞する可搬型の防水扉において、
前記出入り口を閉塞する扉本体と、
前記扉本体の両側部に沿って垂直方向に配置される側部弾性体と、
前記扉本体の下端部に沿って水平方向に配置される下部弾性体と、
前記扉本体の両側部に配置される複数の締付レバーと、
前記出入り口の両側部に沿って垂直方向に配置され、前記締付レバーにより前記側部弾性体が水平方向から押圧される側部突起と、
前記出入り口の床面に形成される戸溝に沿って水平方向に配置され、前記締付レバーにより前記下部弾性体が水平方向から押圧される下部突起と、
を備えることを特徴とする防水扉。
【請求項２】
建造物の出入り口を閉塞するスライド型の防水扉において、
前記出入り口を閉塞する扉本体と、
前記出入り口の側部に配置され、前記扉本体をスライド可能に案内するガイドレールと、
前記扉本体の両側部に沿って垂直方向に配置される側部弾性体と、
前記扉本体の下端部に沿って水平方向に配置される下部弾性体と、
前記扉本体の両側部に配置される複数の締付レバーと、
前記出入り口の両側部に沿って垂直方向に配置され、前記締付レバーにより前記側部弾性体が水平方向から押圧される側部突起と、
前記出入り口の床面に形成される戸溝に沿って水平方向に配置され、前記締付レバーにより前記下部弾性体が水平方向から押圧される下部突起と、
を備えることを特徴とする防水扉。
【発明の詳細な説明】
【技術分野】
【０００１】
本発明は、建造物の出入り口に設置される防水扉に関する。
【背景技術】
【０００２】
例えば、集中豪雨等により大量の水が発生した場合、家屋、ビル、地下駐車場、地下鉄等の出入り口を介して、水が建造物内に浸入するおそれがある。そこで、建造物内への水の浸入を防止するため、建造物の出入り口に設置される防水扉が開発されている。
【０００３】
防水扉には、可搬型、スライド型等の形態がある。可搬型の防水扉は、通常、保管庫に保管される。作業者は、非常時において、保管庫から防水扉を搬出して出入り口を閉塞する（特許文献１）。また、スライド型の防水扉は、通常、出入り口の側部に格納される。作業者は、非常時において、防水扉をスライドさせて出入り口を閉塞する。
【０００４】
防水扉には、既存の出入り口に対して、取付工事を低コストでできることが望まれる。また、防水扉は、非常時に使用されるため、簡単な操作で短時間に設置できなければならない。また、防水扉は、十分な水密性を有していなければならない。さらに、防水扉は、非常時において確実に機能しなければならないため、メンテナンスフリーであることが要求される。さらにまた、防水扉は、保管のための広いスペースを必要としない構成であることが望ましい。
【先行技術文献】
【特許文献】
【０００５】
【特許文献１】特開２００２−３０８７２号公報
【発明の概要】
【発明が解決しようとする課題】
【０００６】
従来の防水扉は、出入り口の床面に底部を密着させるため、強固な床面構造が必要とされた。従って、取付工事が高コストになるおそれがあった。また、従来の防水扉は、水密性を確保するため、煩雑な設置操作が必要とされた。それにもかかわらず、十分な水密性を確保することは困難だった。また、非常時において防水扉を確実に機能させるため、定期的なメンテナンスが必要とされた。さらに、従来の防水扉は、突出部が多く、格納スペースの確保が困難であり、また、外観も好ましくないものであった。
【０００７】
本発明は、上記の課題を解消するためになされたものであって、取付工事を低コストで行うことができ、また、迅速、簡単且つ確実に設置作業を行うことができ、設置後の高い水密性を確保でき、メンテナンスを不要とし、格納時の省スペース化を達成できる防水扉を提供することを目的とする。
【課題を解決するための手段】
【０００８】
本発明に係る防水扉は、建造物の出入り口を閉塞する可搬型の防水扉において、前記出入り口を閉塞する扉本体と、前記扉本体の両側部に沿って垂直方向に配置される側部弾性体と、前記扉本体の下端部に沿って水平方向に配置される下部弾性体と、前記扉本体の両側部に配置される複数の締付レバーと、前記出入り口の両側部に沿って垂直方向に配置され、前記締付レバーにより前記側部弾性体が水平方向から押圧される側部突起と、前記出入り口の床面に形成される戸溝に沿って水平方向に配置され、前記締付レバーにより前記下部弾性体が水平方向から押圧される下部突起と、を備えることを特徴とする。
【０００９】
また、本発明の防水扉は、建造物の出入り口を閉塞するスライド型の防水扉において、前記出入り口を閉塞する扉本体と、前記出入り口の側部に配置され、前記扉本体をスライド可能に案内するガイドレールと、前記扉本体の両側部に沿って垂直方向に配置される側部弾性体と、前記扉本体の下端部に沿って水平方向に配置される下部弾性体と、前記扉本体の両側部に配置される複数の締付レバーと、前記出入り口の両側部に沿って垂直方向に配置され、前記締付レバーにより前記側部弾性体が水平方向から押圧される側部突起と、前記出入り口の床面に形成される戸溝に沿って水平方向に配置され、前記締付レバーにより前記下部弾性体が水平方向から押圧される下部突起と、を備えることを特徴とする。
【発明の効果】
【００１０】
本発明の防水扉では、側部弾性体及び下部弾性体は、締付レバーの簡単な操作だけで、出入り口の側部突起と、床面に形成される戸溝の下部突起とに押圧される。そのため、扉本体の設置作業は、簡単且つ短時間で完了する。また、側部弾性体及び下部弾性体に対し、側部突起及び下部突起が食い込んだ状態とされるため、十分な水密性が確保される。さらに、下部突起には、締付レバーにより下部弾性体からの水圧方向の力のみが働く。従って、下部突起は、戸溝に対して高い強度が要求されない取付工事で取り付けることができる。この結果、下部突起の取付工事は、低コストで行うことができる。また、側部弾性体及び下部弾性体は、扉本体から殆ど突出しない状態で設定されるため、扉本体の搬入、搬出時において、側部弾性体及び下部弾性体が周囲の物と接触して損傷するおそれは殆どない。従って、側部弾性体及び下部弾性体は、メンテナンスが殆ど不要である。さらに、扉本体には、側部弾性体及び下部弾性体を含む突出部が殆ど存在しないため、格納スペースを小さくできる。また、扉本体は、構造が極めて簡単であり、外観も良好である。
【図面の簡単な説明】
【００１１】
【図１】第１実施形態の可搬型の防水扉の一部省略斜視図である。
【図２】図１に示す防水扉のII−II線断面図である。
【図３】第２実施形態のスライド型の防水扉の斜視図である。
【発明を実施するための形態】
【００１２】
以下、本発明の実施形態について図面を参照して説明する。
【００１３】
＜可搬型の防水扉１０の構成の説明＞
図１は、第１実施形態の可搬型の防水扉１０の一部省略斜視図である。図２は、図１に示す防水扉１０のII−II線断面図である。
【００１４】
防水扉１０は、建造物の側壁１２ａ、１２ｂ間の出入り口１４を閉塞する扉本体１６を備える。扉本体１６は、上部扉１８と下部扉２０とに分離可能に構成される。上部扉１８と下部扉２０とは、クランプ２２ａ〜２２ｄにより連結される。上部扉１８及び下部扉２０には、取手２４ａ、２４ｂ及び２４ｃ、２４ｄが配置される。
【００１５】
扉本体１６の側部１６ａ、１６ｂには、複数の締付レバー２６ａ〜２６ｈが配置される。締付レバー２６ａ〜２６ｈは、ピン２８により扉本体１６に軸支される。締付レバー２６ａ〜２６ｈは、端部に係合部３０ａ〜３０ｈを有する。
【００１６】
扉本体１６の面１６ｃには、側部弾性体３２ａ、３２ｂが側部１６ａ、１６ｂに沿って垂直方向に配置される。また、扉本体１６の面１６ｃには、下部弾性体３２ｃが下端部１６ｄに沿って水平方向に配置される。側部弾性体３２ａ、３２ｂは、側部１６ａ、１６ｂにボルト３４で固定された角材３６に、取付金具３８を介して固定される。下部弾性体３２ｃは、側部弾性体３２ａ、３２ｂと同様にして下端部１６ｄに固定される。側部弾性体３２ａ、３２ｂ及び下部弾性体３２ｃは、面１６ｃから出入り口１４側にわずかに突出する。側部弾性体３２ａ、３２ｂ及び下部弾性体３２ｃは、一体に構成できる。
【００１７】
側壁１２ａ、１２ｂには、取付金具４０がボルト４２で固定される。取付金具４０には、コーキング材４４を介して、垂直方向に延在する戸当金具４６が固定される。戸当金具４６には、側部突起４８ａ、４８ｂが固定される。側部突起４８ａ、４８ｂは、側壁１２ａ、１２ｂに沿って垂直方向に配置され、締付レバー２６ａ〜２６ｈにより側部弾性体３２ａ、３２ｂが水平方向から押圧される。また、戸当金具４６には、締付レバー２６ａ〜２６ｈの係合部３０ａ〜３０ｈが係合するフック５０ａ〜５０ｈが固定される。
【００１８】
側壁１２ａ、１２ｂ間の出入り口１４の床面には、戸溝５２が形成される。戸溝５２には、コ字形状の取付金具５４が配置される。取付金具５４には、下部突起４８ｃが固定される。下部突起４８ｃは、戸溝５２に沿って水平方向に配置され、締付レバー２６ａ〜２６ｈにより下部弾性体３２ｃが水平方向から押圧される。側部突起４８ａ、４８ｂ及び下部突起４８ｃは、一体に構成できる。
【００１９】
＜可搬型の防水扉１０の操作の説明＞
防水扉１０を取り付ける場合について説明する。先ず、下部扉２０が保管場所から搬出される。そして、下端部１６ｄが出入り口１４の床面に形成された戸溝５２に嵌め込まれる。次いで、上部扉１８が搬出され、下部扉２０の上部に設置される。上部扉１８及び下部扉２０は、クランプ２２ａ〜２２ｄにより連結される。
【００２０】
次に、扉本体１６の側部１６ａ、１６ｂの締付レバー２６ａ〜２６ｈが図１の矢印方向に回動される。締付レバー２６ａｃ〜２６ｈの係合部３０ａ〜３０ｈは、側壁１２ａ、１２ｂのフック５０ａ〜５０ｈに係合される。
【００２１】
この場合、係合部３０ａ〜３０ｈは、フック５０ａ〜５０ｈに下方向から係合される。そのため、扉本体１６は、下方向に押圧される。また、係合部３０ａ〜３０ｈは、フック５０ａ〜５０ｈに水圧方向から係合される。そのため、扉本体１６は、側壁１２ａ、１２ｂ側に押圧される。従って、側壁１２ａ、１２ｂの側部突起４８ａ、４８ｂは、扉本体１６の側部弾性体３２ａ、３２ｂに食い込んだ状態で密着する。同時に、戸溝５２の下部突起４８ｃは、扉本体１６の下部弾性体３２ｃに食い込んだ状態で密着する。以上のようにして、出入り口１４に対する扉本体１６の設置作業が完了する。
【００２２】
第１実施形態の可搬型の防水扉１０では、扉本体１６が上部扉１８と下部扉２０とを別体として保管場所から搬出される。そのため、扉本体１６は、少ない労力で出入り口１４に設置される。また、側部弾性体３２ａ、３２ｂ及び下部弾性体は、締付レバー２６ａ〜２６ｈの一度の操作で、側部突起４８ａ、４８ｂ及び下部突起４８ｃに押圧される。そのため、扉本体１６の設置操作は、簡単且つ短時間で完了する。また、側部弾性体３２ａ、３２ｂ及び下部弾性体３２ｃは、側部突起４８ａ、４８ｂ及び下部突起４８ｃに食い込んで密着するため、十分な水密性が確保される。さらに、下部突起４８ｃには、下部弾性体３２ｃからの水圧方向の力のみが働く。そのため、戸溝５２に対して下部突起４８ｃを取り付ける取付工事を行う際、その取付工事に高い強度が要求されない。従って、下部突起４８ｃは、低コストの取付工事によって戸溝５２に設置することができる。
【００２３】
次に、防水扉１０を取り外す場合について説明する。締付レバー２６ａ〜２６ｈが図１の矢印方向と反対方向に回動される。次いで、クランプ２２ａ〜２２ｄが操作され、上部扉１８及び下部扉２０が分離される。その後、上部扉１８及び下部扉２０が保管場所に搬入される。
【００２４】
この場合、扉本体１６は、上部扉１８及び下部扉２０に分離される。また、締付レバー２６ａ〜２６ｈは、側部１６ａ、１６ｂに収容され、扉本体１６から突出しない状態に設定される。また、側部弾性体３２ａ、３２ｂ及び下部弾性体３２ｃは、扉本体１６の面１６ｃから殆ど突出しない状態に設定されている。そのため、締付レバー２６ａ〜２６ｈ、側部弾性体３２ａ、３２ｂ及び下部弾性体３２ｃは、扉本体１６の保管時や搬入、搬出時において、周囲の物と接触するおそれが殆どない。従って、扉本体１６は、メンテナンスフリーの状態で保管される。さらに、扉本体１６は、突出部分が殆どないため、格納スペースを小さくできる。さらにまた、扉本体１６は、構造が極めて簡素であり、外観も良好である。
【００２５】
＜スライド型の防水扉６０の構成の説明＞
図３は、第２実施形態のスライド型の防水扉６０の斜視図である。なお、可搬型の防水扉１０と同一の構成要素には、同一の参照符号を付し、その説明は省略する。
【００２６】
防水扉６０は、１枚の扉本体６２を備える。扉本体６２には、矢印方向に移動させるための取手６４ａ、６４ｂが配置される。
【００２７】
出入り口１４の一方の側壁１２ｂの上部には、扉本体６２の移動方向に沿ってガイドレール６６が配置される。出入り口１４の床面に形成される戸溝５２は、ガイドレール６６と平行に側壁１２ｂの下部まで延在する。扉本体６２の上下には、図示しない車輪が配置される。
【００２８】
＜スライド型の防水扉６０の操作の説明＞
出入り口１４を閉塞する場合、扉本体６２は、上部がガイドレール６６に案内され、戸溝５２に沿って矢印方向にスライドされる。出入り口１４が扉本体６２により閉塞されると、防水扉１０の場合と同様に、締付レバー２６ａ〜２６ｈが回動され、扉本体６２が側壁１２ａ、１２ｂに固定される。
【００２９】
この場合、扉本体６２は、図示しない車輪を介して、戸溝５２に沿って容易に横引き移動され、出入り口１４に設置される。従って、扉本体６２は、可搬型の扉本体１６のように、搬出、搬入を容易とするために分割する必要はない。また、扉本体６２は、床面に密着させるため上下方向に移動させる装置を用いることなく、水密な状態で出入り口１４に設置することができる。
【００３０】
一方、出入り口１４を開放する場合、締付レバー２６ａ〜２６ｈが前記と逆方向に回動され、次いで、扉本体６２は、図示しない車輪を介して戸溝５２に沿って側壁１２ｂ側にスライドされる。側壁１２ｂ側に横引き移動された扉本体６２は、側壁１２ｂに沿って格納される。従って、保管時における扉本体６２の格納スペースは、少なくてよい。
【００３１】
なお、本発明は、上述した実施の形態に限定されるものではなく、本発明の主旨を逸脱しない範囲で変更することが可能である。
【符号の説明】
【００３２】
１０、６０…防水扉
１２ａ、１２ｂ…側壁
１４…出入り口
１６、６２…扉本体
１６ａ、１６ｂ…側部
１６ｃ…面
１６ｄ…下端部
１８…上部扉
２０…下部扉
２２ａ〜２２ｄ…クランプ
２４ａ〜２４ｄ、６４ａ、６４ｂ…取手
２６ａ〜２６ｈ…締付レバー
２８…ピン
３０ａ〜３０ｈ…係合部
３２ａ、３２ｂ…側部弾性体
３２ｃ…下部弾性体
３４、４２…ボルト
３６…角材
３８、４０、５４…取付金具
４４…コーキング材
４６…戸当金具
４８ａ、４８ｂ…側部突起
４８ｃ…下部突起
５０ａ〜５０ｈ…フック
５２…戸溝
６６…ガイドレール
【図１】
2015101885.tif 000003
【図２】
2015101885.tif 000004
【図３】
2015101885.tif 000005